(57)【要約】【課題】台上に載置してレシピを保持するか、或いはレシピを上から吊り下げ固定するかをユーザ自身が任意選択可能なレシピスタンドを提供する。【解決手段】ベースプレート１１と、ベースプレート１１の上端に対してヒンジ機構１３を介して下端が連結された支持プレート１２と、ベースプレート１１の上端から前面側へ向けて間隔をおいて配設され、外力により下側に向けて開閉自在とされた少なくとも１以上のクリップ１６と、支持プレート１２の上部に穿設された貫通穴１８とを備え、ベースプレート１１の背面側に向けてヒンジ機構１３を介して支持プレート１２を回転させた場合には、少なくとも支持プレート１２を台上に載置してベースプレート１１を台表面に対して斜めに立てた状態で維持可能とするとともに、ベースプレート１１とクリップ１６との間でレシピを保持可能としている。【選択図】図１
2010051491.tif 000002
【特許請求の範囲】
【請求項１】
ベースプレートと、
上記ベースプレートの上端に対してヒンジ機構を介して下端が連結された支持プレートと、
上記ベースプレートの上端から前面側へ向けて間隔をおいて配設され、外力により下側に向けて開閉自在とされた少なくとも１以上のクリップとを備え、
上記ベースプレートの背面側に向けて上記ヒンジ機構を介して上記支持プレートを回転させた場合には、少なくとも上記支持プレートを台上に載置して上記ベースプレートを台表面に対して斜めに立てた状態で維持可能とするとともに、上記ベースプレートと上記クリップとの間でレシピを保持可能とされ、
上記ベースプレートに対して略平行となるように上記ヒンジ機構を介して上記支持プレートを回転させた場合には、これを展開させたままの状態で固定するための固定手段を介して固定可能とされるとともに、上記クリップによりレシピを吊り下げ狭持可能とされていること
を特徴とするレシピスタンド。
【請求項２】
上記固定手段は、上記支持プレートの上部に穿設された貫通穴であるか、又はベースプレート及び／又は支持プレートの背面に取り付けられた磁石であること
を特徴とする請求項１記載のレシピスタンド。
【請求項３】
上記クリップに対して上記外力を押圧するための押圧部は、上記ベースプレートの上端よりも上側に突出されてなり、その押圧部の上端には弾性材が設けられ、
上記ベースプレートの背面側に向けて上記ヒンジ機構を介して上記支持プレートを回転させた場合には、少なくとも上記支持プレートの上端と上記押圧部の上端とを介して台上に載置可能とされていること
を特徴とする請求項１又は２記載のレシピスタンド。
【請求項４】
上記支持プレートは、上記ベースプレートの前面側に向けて上記ヒンジ機構を介して回転されることにより、当該ベースプレートの前面と接触させて折り畳み可能とされていること
を特徴とする請求項１〜３のうち何れか１項記載のレシピスタンド。
【請求項５】
上記ベースプレート及び／又は上記支持プレートにおける前面は、筆記消去可能な筆記面を設けてなるとともに磁性材料からなるホワイトボードで構成されていること
を特徴とする請求項１〜４のうち何れか１項記載のレシピスタンド。
【請求項６】
上記クリップは、横方向に移動自在に配設されていること
を特徴とする請求項１〜５のうち何れか１項記載のレシピスタンド。
【請求項７】
上記ベースプレートの背面側に向けて上記ヒンジ機構を介して上記支持プレートを回転させた場合には、更に上記クリップによりレシピを保持可能とされていること
を特徴とする請求項１〜６のうち何れか１項記載のレシピスタンド。
【請求項８】
上記クリップは、ベースプレート側へ突出させた案内部さらに形成されていること
を特徴とする請求項１〜７のうち何れか１項記載のレシピスタンド。
【請求項９】
上記案内部は、上記クリップが閉じられた状態において上記ベースプレートとほぼ平行となるような角度で形成されていること
を特徴とする請求項８記載のレシピスタンド。
【請求項１０】
上記案内部は、鉄製で円弧状のすべり部材が更に設けられていること
を特徴とする請求項９又は１０記載のレシピスタンド。
【請求項１１】
ベースプレートと、
上記ベースプレートの上端に対してヒンジ機構を介して下端が連結された支持プレートと、
上記ベースプレートの上端から前面側へ向けて間隔をおいて配設され、外力により下側に向けて開閉自在とされた少なくとも１以上のクリップとを備え、
上記ベースプレートの背面側に向けて上記ヒンジ機構を介して上記支持プレートを回転させた場合には、少なくとも上記支持プレートを台上に載置して上記ベースプレートを台表面に対して斜めに立てた状態で維持可能とするとともに、上記ベースプレートと上記クリップとの間で書籍を保持可能とされ、
上記ベースプレートに対して略平行となるように上記ヒンジ機構を介して上記支持プレートを回転させた場合には、これを展開させたままの状態で固定するための固定手段を介して固定可能とされるとともに、上記クリップにより書籍を吊り下げ狭持可能とされていること
を特徴とする書籍スタンド。
【発明の詳細な説明】
【技術分野】
【０００１】
本発明は、キッチンにおいて調理を行う際に、レシピを斜めに立て掛けた状態で、並びに吊り下げた状態で読み取ることが可能なレシピスタンド、書籍スタンドに関するものである。
【背景技術】
【０００２】
多種多様な料理が研究されている近年において、特にレシピを見ながら調理を行うケースが増加している。一般にレシピは、本や書類等の紙媒体に記載されている。またレシピは、見開きのページで料理が一つの料理が完結できるように記載されていることが多いことから、一般の書籍と比べて随時ページをめくる必要が無いという特性もある。このようなレシピを斜めに立て掛けた状態で保持することができるレシピスタンドや、マグネット式で構成されるともにホワイトボードを兼ねたレシピボードが従来において提案されている（例えば、特許文献１参照。）。
【特許文献１】特開２００４−０４１６５７号公報
【発明の開示】
【発明が解決しようとする課題】
【０００３】
しかしながら、調理台やカウンター等のような調理スペースを構成する台上に載置することを前提としたレシピスタンドでは、広い調理スペースをとることができるシステムキッチンにおいては好適であるものの、狭い調理スペースしか取れないシステムキッチンや、調理スペースに多くの容器や調理器具を載置したい場合等には、配置する上での制約が高くなるという問題点があった。またこのような調理スペースに基づく制約とは無関係に、ユーザによっては、レシピスタンドを台上に載置してレシピを保持するのではなく、レシピを上から吊り下げ固定可能な構成を望む場合もあった。
【０００４】
そこで、本発明は、上述した課題に鑑みて案出されたものであり、その目的とするところは、台上に載置してレシピを保持するか、或いはレシピを上から吊り下げ固定するかをユーザ自身が任意選択可能なレシピスタンド、書籍スタンドを提供することにある。
【課題を解決するための手段】
【０００５】
上述した課題を解決するために、本願請求項１に係るレシピスタンドは、ベースプレートと、上記ベースプレートの上端に対してヒンジ機構を介して下端が連結された支持プレートと、上記ベースプレートの上端から前面側へ向けて間隔をおいて配設され、外力により下側に向けて開閉自在とされた少なくとも１以上のクリップとを備え、上記ベースプレートの背面側に向けて上記ヒンジ機構を介して上記支持プレートを回転させた場合には、少なくとも上記支持プレートを台上に載置して上記ベースプレートを台表面に対して斜めに立てた状態で維持可能とするとともに、上記ベースプレートと上記クリップとの間でレシピを保持可能とされ、上記ベースプレートに対して略平行となるように上記ヒンジ機構を介して上記支持プレートを回転させた場合には、これを展開させたままの状態で固定するための固定手段を介して固定可能とされるとともに、上記クリップによりレシピを吊り下げ狭持可能とされていることを特徴とする。
【０００６】
本願請求項２に係るレシピスタンドは、請求項１記載の発明において、上記固定手段は、上記支持プレートの上部に穿設された貫通穴であるか、又はベースプレート及び／又は支持プレートの背面に取り付けられた磁石であることを特徴とする。
【０００７】
本願請求項３に係るレシピスタンドは、請求項１又は２記載の発明において、上記クリップに対して上記外力を押圧するための押圧部は、上記ベースプレートの上端よりも上側に突出されてなり、その押圧部の上端には弾性材が設けられ、上記ベースプレートの背面側に向けて上記ヒンジ機構を介して上記支持プレートを回転させた場合には、少なくとも上記支持プレートの上端と上記押圧部の上端とを介して台上に載置可能とされていることを特徴とする。
【０００８】
本願請求項４に係るレシピスタンドは、請求項１〜３のうち何れか１項記載の発明において、上記支持プレートは、上記ベースプレートの前面側に向けて上記ヒンジ機構を介して回転されることにより、当該ベースプレートの前面と接触させて折り畳み可能とされていることを特徴とする。
【０００９】
本願請求項５に係るレシピスタンドは、請求項１〜４のうち何れか１項記載の発明において、上記ベースプレート及び／又は上記支持プレートにおける前面は、筆記消去可能な筆記面を設けてなるとともに磁性材料からなるホワイトボードで構成されていることを特徴とする。
【００１０】
本願請求項６に係るレシピスタンドは、請求項１〜５のうち何れか１項記載の発明において、上記クリップは、横方向に移動自在に配設されていることを特徴とする。
【００１１】
本願請求項７に係るレシピスタンドは、請求項１〜６のうち何れか１項記載の発明において、上記ベースプレートの背面側に向けて上記ヒンジ機構を介して上記支持プレートを回転させた場合には、更に上記クリップによりレシピを保持可能とされていることを特徴とする。
【００１２】
本願請求項８に係るレシピスタンドは、請求項１〜７のうち何れか１項記載の発明において、上記クリップは、ベースプレート側へ突出させた案内部さらに形成されていることを特徴とする。
【００１３】
本願請求項９に係るレシピスタンドは、請求項８記載の発明において、上記案内部は、上記クリップが閉じられた状態において上記ベースプレートとほぼ平行となるような角度で形成されていることを特徴とする。
【００１４】
本願請求項１０に係るレシピスタンドは、請求項８又は９記載の発明において、上記案内部は、鉄製で円弧状のすべり部材が更に設けられていることを特徴とする。
【００１５】
本願請求項１１に係る書籍スタンドは、ベースプレートと、上記ベースプレートの上端に対してヒンジ機構を介して下端が連結された支持プレートと、上記ベースプレートの上端から前面側へ向けて間隔をおいて配設され、外力により下側に向けて開閉自在とされた少なくとも１以上のクリップとを備え、上記ベースプレートの背面側に向けて上記ヒンジ機構を介して上記支持プレートを回転させた場合には、少なくとも上記支持プレートを台上に載置して上記ベースプレートを台表面に対して斜めに立てた状態で維持可能とするとともに、上記ベースプレートと上記クリップとの間で書籍を保持可能とされ、上記ベースプレートに対して略平行となるように上記ヒンジ機構を介して上記支持プレートを回転させた場合には、これを展開させたままの状態で固定するための固定手段を介して固定可能とされるとともに、上記クリップにより書籍を吊り下げ狭持可能とされていることを特徴とする。
【発明の効果】
【００１６】
上述した構成からなる本発明に係るレシピスタンドでは、台上に載置してレシピを保持するか、或いはレシピを上から吊り下げ固定するかをユーザ自身が任意に選択することが可能となる。しかも、ヒンジ機構を介してベースプレートに対して支持プレートを折り曲げるのみの極めて簡単な操作でそれを実現することができる。その結果、広い調理スペースをとることができるシステムキッチンにおいては、ベースプレートの背面側に向けてヒンジ機構を介して支持プレートを回転させることにより、これを台上に載置することが可能となる。また、狭い調理スペースしか取れないシステムキッチンや、調理スペースに多くの容器や調理器具を載置したい場合等には、ベースプレートに対して略平行となるようにヒンジ機構を介して支持プレートを回転させ、貫通穴を介して係合させることにより吊り下げ狭持することが可能となる。また、いずれの場合においてもレシピの料理中における視認性を向上させることができ、しかもレシピをずらすことなく安定した状態で保持することが可能となる。
【発明を実施するための最良の形態】
【００１７】
以下、本発明を実施するための最良の形態として、レシピを斜めに立て掛けた状態で、並びに吊り下げた状態で読み取ることが可能なレシピスタンドについて、図面を参照しながら詳細に説明する。
【００１８】
図１は、本発明を適用したレシピスタンド１の斜視図を、また図２(a)はその正面図を、また図２(b)はその側面図を、図２(c)はその平面図を示している。
【００１９】
レシピスタンド１は、ベースプレート１１と、ベースプレート１１の上端１１ａに取り付けられたヒンジ機構１３と、この下端がヒンジ機構１３に取り付けられてなる連結棒１４と、この連結棒１４に下端１２ｂが取り付けられた支持プレート１２と、支持プレート１２の上部に穿設された貫通穴１８と、ベースプレート１１の上端１１ａにおける横方向Ａの両端に設けられた枠体１９と、この枠体１９からＡ方向中心に向けて延長されているレール１５と、このレール１５に嵌合されるクリップ１６とを備えている。なお、このレシピスタンド１は、図２(a)紙面上側を上方、紙面下側を下方とし、紙面前方向を前面側、紙面奥行き方向を背面側としている。他の図についても、これと整合するように記載している。
【００２０】
ベースプレート１１は、金属製又は樹脂性の板材で構成されている。このベースプレート１１における前面は、例えばペン等で筆記消去可能な白色の筆記面２１が設けられている。また筆記面２１は、更に磁性材料で構成されていてもよい。これにより、この筆記面２１は、いわゆるホワイトボードとしての機能を発揮することが可能となり、ユーザは、この筆記面２１に対して文字等を筆記することができ、また消去することが可能となる。更にマグネット等をこの筆記面２１に着脱自在にとされているため、紙媒体に印刷されたレシピをマグネットを介して筆記面２１に貼り付けることができ、またこれを簡単に取り外すことも可能となる。ちなみに、このベースプレート１１の形状は、半円形で構成されている場合を例にとり説明をしているが、これに限定されるものではなく、いかなる形状で構成されていてもよい。
【００２１】
支持プレート１２は、金属製又は樹脂性の板材で構成されている。この支持プレート１２における前面も、例えばペン等で筆記消去可能な白色の筆記面２２が設けられている。この筆記面２２を構成は、上述した筆記面２１と同一であるため、これを引用することにより以下での説明を省略する。この支持プレート１２の形状も、半円形で構成され、ベースプレート１１と合わせて輪郭が一つの円を形成しているが、これに限定されるものではなく、いかなる形状で構成されていてもよい。
【００２２】
枠体１９は、ベースプレート１１の上端１１ａから前面側へ向けて突出されてなり、このベースプレート１１と一体化されて構成される。この枠体１９における前面側へ向けた突出量は、後述するように所定の長さに亘り予め調整されることになる。
【００２３】
一端側が枠体１９に連結されたレール１５は、Ａ方向中心に向けて延長された他端側が図２(c)に示すように背面側に折り曲げられてなり、その終端はベースプレート１１に連結されている。レール１５は、断面形状が図３に示すようにクリップ１６とより強固に嵌合させる観点から断面Ｈ形状に構成しているが、これに限定されるものではない。また、レール１５の前後方向の位置は、ベースプレート１１から前面側へ向けて間隔をおいた位置とされている。
【００２４】
クリップ１６は、レール１５に嵌合される嵌合部材２４と、図３中Ｂ方向から外力を押圧するための押圧部２６とを有する。嵌合部材２４は、レール１５の断面形状に応じた貫通穴２４ａが形成されてなり、当該貫通穴２４ａにレール１５を挿通可能とされている。ユーザは、このクリップ１６をＡ方向に向けて自在に動かすことにより、これを好みの位置に調整することが可能となる。また、このクリップ１６は、Ｂ方向から押圧部２６を介した外力の押圧を通じてその先端１６ａが開閉自在に構成されることになるが、当該先端１６ａは下側に向いていることから、クリップ１６は下側に向けて開閉自在とされていることになる。また、このクリップ１６の前後方向の位置は、ベースプレート１１から前面側へ向けて間隔をおいた位置とされている。クリップ１６は、レール１５に嵌合されることにより構成されるところ、当該レール１５が、ベースプレート１１から前面側へ向けて間隔をおいて位置しているためである。なお、このクリップ１６は、レール１５に嵌合させることにより取り付けられている場合に限定されるものではなく、他の手段によりベースプレート１１の上端から前面側へ向けて間隔をおいて配設されていてもよい。また押圧部２６における上端には、ゴム等の弾性材が設けられていてもよい。
【００２５】
ヒンジ機構１３は、回動軸Ｏを中心軸として回転自在に構成され、ベースプレート１１と支持プレート１２との相対角度を任意に調整自在にとなるように支持する。このヒンジ機構１３を介してベースプレート１１の背面側に向けて支持プレート１２を回転させた場合には、ベースプレート１１と支持プレート１２とが少なくとも鋭角となる所定の相対角度においてストッパーが掛かるように構成されている。これに対して、ヒンジ機構１３を介してベースプレート１１の前面側に向けて支持プレート１２を回転させた場合には、当該方向への回転については特段ストッパーは設けられていないため、ベースプレート１１と支持プレート１２とが互いに接触するまで回転自在となるように構成されている。
【００２６】
連結棒１４は、金属製で構成され、クリップ１６と支持プレート１２とが互いに接触しないようにその長さが予め調整されている。
【００２７】
また貫通穴１８は、キッチンに設けられたフックを挿通可能な程度の径で構成される。
【００２８】
次に、本発明を適用したレシピスタンド１について、カウンターや調理台等の調理スペースの台上に載置することにより使用する場合について説明をする。
【００２９】
ベースプレート１１の背面側に向けてヒンジ機構１３を介して支持プレート１２を回転させる。その結果、図４、５に示すように、少なくとも支持プレート１２を台上に載置することが可能となる。ちなみに、図４は、台上に載置したレシピスタンド１にレシピ３１を保持した状態を示す斜視図であり、図５(a)は、その側面図を、更に図５(b)は、台上に載置したレシピスタンド１を背面から視認した状態を示している。
【００３０】
ベースプレート１１の背面側に向けてヒンジ機構１３を介して支持プレート１２を回転させると、図５(a)に示すように、ベースプレート１１と支持プレート１２とが互いに鋭角の関係になった場合において図示しないストッパーが機能する。かかる状態で台３２上に載置すると、支持プレート１２の上端１２ａと、クリップ１６における押圧部２６上端を台３２に接触することになる。このため、これら支持プレート１２の上端１２ａと、クリップ１６における押圧部２６上端を介して台３２上に載置することが可能となる。特にクリップ１６における上端を弾性材で構成した場合には、これが滑り止めの機能を発揮することになる。
【００３１】
かかる状態の下で台上に載置したレシピスタンド１では、支持プレート１２の上端１２ａと、クリップ１６における押圧部２６上端を介して台３２上に載置する構成としており、しかもこのクリップ１６の上端は、ベースプレート１１の上端１１ａよりも上側に突出されていることから、支持プレート１２を台３２表面に対して斜めに静止させることが可能となる。ベースプレート１１は、支持プレート１２に対して互いに鋭角の関係になっていることから、ベースプレート１１自身は、この台３２表面から傾斜させて配置することが可能となる。
【００３２】
台３２上に載置したレシピスタンド１にレシピ３１を保持する場合には、図５(b)に示すように、ベースプレート１１と、クリップ１６との間に形成された保持部３５を利用する。即ち、この断面凹状に形成されてなる保持部３５にレシピ３１を挿入することによりこれをベースプレート１１とクリップ１６とにより遊嵌させることができ、これを保持することが可能となる。またベースプレート１１自身は、この台３２表面から傾斜させて配置していることから、レシピ３１も傾斜させた状態で保持することが可能となる。その結果、キッチンで調理を行うユーザは、斜め上に向いているレシピ３１を視認することができる。
【００３３】
また、本発明では、クリップ１６として、例えば図６(a)に示すようにベースプレート１１側へ突出させた案内部５１が形成されていてもよい。図６(b),(c)は、この案内部５１の詳細な構成を説明するためにクリップ１６を拡大表示させた図である。この案内部５１は、クリップ１６が閉じられた状態において上記ベースプレート１１とほぼ平行となるような角度で形成されていることが望ましい。これにより、図６(a)に示すように、挿入したレシピ３１のページがめくれないように強固に固定することが可能となる。また、レシピ３１を挿入する際の摩擦力を低減させる観点から、鉄製で円弧状のすべり部材５１ａを設けるようにしてもよい。
【００３４】
また、レシピ３１が分厚くて保持部３５に挿入できないとき等には、例えば図７に示すようにクリップ１６によりレシピ３１を固定するようにしてもよい。
【００３５】
次に、本発明を適用したレシピスタンド１について、上から吊り下げ固定する場合について説明をする。
【００３６】
図８、９に示すように、ベースプレート１１に対して略平行となるようにヒンジ機構１３を介して支持プレート１２を回転させる。その結果、ベースプレート１１と支持プレート１２との間で略同一平面が形成されることになる。かかる状態においては、クリップ１６は下側に向けて開閉自在となる。
【００３７】
次に、支持プレート１２に穿設された貫通穴１８を、フック３７に係合させることによりこれを吊り下げる。そして、このクリップ１６にレシピ３１を吊り下げ狭持する。このとき、レシピ３１の大きさに応じてクリップ１６の位置をＡ方向に移動させて調整することにより、バランスをとることが可能となる。特にこのレシピスタンド１を上から吊り下げ固定する場合には、これを台上に載置する場合と比較して調理スペースが割かれることも無くなり、よりスペースを有効的に活用することが可能となる。
【００３８】
また、このレシピスタンド１を上から吊り下げ固定する場合には、クリップ１６によりレシピ３１を吊り下げ狭持する以外に、図示しないマグネットを介して紙媒体からなるレシピをベースプレート１１及び／又は支持プレート１２に貼着させることが可能となる。また、レシピスタンド１においてレシピを吊り下げ固定しない場合には、この空いているベースプレート１１及び／又は支持プレート１２に対してペン等でメモを筆記することが可能となり、また随時これを消去することも可能となる。
【００３９】
このように、本発明を適用したレシピスタンド１では、台上に載置してレシピ３１を保持するか、或いはレシピ３１を上から吊り下げ固定するかをユーザ自身が任意に選択することが可能となる。しかも、ヒンジ機構１３を介してベースプレート１１に対して支持プレート１２を折り曲げるのみの極めて簡単な操作でそれを実現することができる。その結果、広い調理スペースをとることができるシステムキッチンにおいては、ベースプレート１１の背面側に向けてヒンジ機構１３を介して支持プレート１２を回転させることにより、これを台上に載置することが可能となる。また、狭い調理スペースしか取れないシステムキッチンや、調理スペースに多くの容器や調理器具を載置したい場合等には、ベースプレート１１に対して略平行となるようにヒンジ機構１３を介して支持プレート１２を回転させ、貫通穴１８を介して係合させることにより吊り下げ狭持することが可能となる。また、いずれの場合においてもレシピ３１の料理中における視認性を向上させることができ、しかもレシピ３１をずらすことなく安定した状態で保持することが可能となる。
【００４０】
なお、本発明を適用したレシピスタンド１では、例えば、図１０に示すように、支持プレート１２は、ベースプレート１１の前面側に向けてヒンジ機構１３を介して回転されることにより、ベースプレート１１の前面と接触させて折り畳むことが可能となる。このため、本発明は、保管性、収納性にも優れた構成といえる。
【００４１】
また、本発明は、上述した実施の形態に限定されるものではない。図１１は、本発明を適用した他の形態としてのレシピスタンド２の構成例を示している。このレシピスタンド２において、上述したレシピスタンド１と同一の構成要素、部材に関しては、同一の符号を付すことにより、以下での説明を省略する。
【００４２】
このレシピスタンド２では、レシピスタンド１における連結棒１４が省略され、その代替として支持プレート１２の下端から下側に向けて突出された突出部４１と、この突出部４１、ヒンジ機構１３を介してベースプレート１１へ連結するための連結部材４２とを備えている。またこの構成では、レール１５は、中心がこのヒンジ機構１３により固定されてなり、枠体１９に相当する構成は省略されている。
【００４３】
また、ベースプレート１１と支持プレート１２が略平行状態にあるとき、連結部材４２は、図１１(b)の側面図に示すように、下方から上方に至る過程において、背面側から前面側に向けて配向した状態となる。即ち、この連結部材４２は、ヒンジ機構１３からベースプレート１１に至るまで傾斜状に配設されている。その結果、ベースプレート１１の上端から前面側へ向けて間隔をおいてクリップ１６を配置させることが可能となり、更にベースプレート１１と、クリップ１６との間に保持部３５を形成させることが可能となり、これにレシピを保持させることが可能となる。
【００４４】
図１２に示すように、ベースプレート１１の背面側に向けてヒンジ機構１３を介して支持プレート１２を回転させた場合には、突出部４１に対して、ベースプレート１１の上端１１ａを当接させることが可能となり、これがストッパーとして機能することになる。これは、上述したように連結部材４２をヒンジ機構１３からベースプレート１１に至るまで傾斜状に配設したことによるものである。
【００４５】
上述したレシピスタンド２においても同様にレシピスダンと１と同一の効果を奏することは勿論である。
【００４６】
なお、本発明を適用したレシピスタンド２は、あくまでレシピの代替として、本やカタログ等のいかなる書籍をも保持、狭持可能であることは勿論である。即ち。このレシピスタンド２を、構成要素を同一としながらも書籍スタンドとして適用することが可能となる。
【００４７】
また、上述した構成において、貫通穴１８の構成は省略するようにしてもよい。その代替として、ベースプレート１１、支持プレート１２を展開させたままの状態で固定するためのいかなる固定手段を適用するようにしてもよい。この固定手段の他の例としては、ベースプレート１１及び／又は支持プレート１２の背面に取り付けられた磁石で構成するようにしてもよい。これにより、冷蔵庫等にこの磁石を介して取り付けることにより、これを強固に固定することが可能となる。
【００４８】
特にこの磁石をベースプレート１１に取り付ける構成とすることにより、例えば図１０に示すように折りたたんだ状態においても、冷蔵庫等に取り付ける、クリップ１６を介してレシピを吊下げ固定することが可能となる。これにより、コンパクトな状態で、固定することが可能となる。
【図面の簡単な説明】
【００４９】
【図１】本発明を適用したレシピスタンドの斜視図である。
【図２】(a)は本発明を適用したレシピスタンドの正面図を、(b)は本発明を適用したレシピスタンドの側面図を、(c)は本発明を適用したレシピスタンドの平面図である。
【図３】レールとクリップの嵌合部分の断面図である。
【図４】台上に載置したレシピスタンドにレシピを保持した状態を示す斜視図である。
【図５】(a)は、台上に載置したレシピスタンドにレシピを保持した状態を示す側面図であり、(b)は、台上に載置したレシピスタンドを背面から視認した状態を示す図である。
【図６】クリップとして、ベースプレート側へ突出させた案内部を形成させた例を示す図である。
【図７】レシピの他の保持例について説明するための図である。
【図８】本発明を適用したレシピスタンドについて、上から吊り下げ固定する場合を示す斜視図である。
【図９】本発明を適用したレシピスタンドについて、上から吊り下げ固定する場合を示す側面図である。
【図１０】本発明を適用したレシピスタンドを折り畳んだ状態を示す側面図である。
【図１１】本発明を適用したレシピスタンドの他の形態について説明するための図である。
【図１２】本発明を適用したレシピスタンドの他の形態について台上に載置する例を示す図である。
【符号の説明】
【００５０】
１  レシピスタンド
１１  ベースプレート
１２  支持プレート
１３  ヒンジ機構
１４  連結棒
１５  レール
１６  クリップ
１８  貫通穴
１９  枠体
２１、２２  筆記面
２６  押圧部
３１  レシピ
３２  台
【図１】
2010051491.tif 000003
【図２】
2010051491.tif 000004
【図３】
2010051491.tif 000005
【図４】
2010051491.tif 000006
【図５】
2010051491.tif 000007
【図６】
2010051491.tif 000008
【図７】
2010051491.tif 000009
【図８】
2010051491.tif 000010
【図９】
2010051491.tif 000011
【図１０】
2010051491.tif 000012
【図１１】
2010051491.tif 000013
【図１２】
2010051491.tif 000014